(57)【特許請求の範囲】
【請求項１】
ある地点から見える日の出又は日の入りの映像を撮像するために備えられたカメラと、
前記地点から見える日の出又は日の入りの時刻を１年間分記録しておくための時刻記録手段と、
時刻データを出力するための時刻データ出力手段と、
前記時刻記録手段及び時刻データ出力手段からの出力に基づいて、前記カメラからの日の出又は日の入りの映像を通信ネットワークを介してリアルタイムにユーザー側に提供するための映像提供手段と、
を含むことを特徴とする日の出又は日の入り映像提供システム。
【請求項２】
複数の地点について、そこから見える日の出又は日の入りの映像を撮像するために、それぞれ備えられたカメラと、
前記各地点を、地名又はキーワードその他の文字列と関連付けて記録しておくためのデータベースと、
ユーザーがある地名又はキーワードその他の文字列を指定又は登録したとき、前記データベースを参照して、前記ユーザーが指定又は登録した地名又はキーワードその他の文字列と関連する地点に備えられたカメラにより撮像された現在の日の出又は日の入りの映像を、通信ネットワークを介してリアルタイムにユーザー側に提供するための映像提供手段と、
を含むことを特徴とする日の出又は日の入り映像提供システム。
【請求項３】
複数の地点について、各地点から見える日の出又は日の入りの映像を撮像するために、それぞれ備えられたカメラと、
前記各地点を、地図上の位置座標データと関連付けて記録しておくためのデータベースと、
ユーザーが表示装置の画面に表示された地図上のある地点を指定したとき、前記データベースを参照して、前記ユーザーが指定した地点に備えられたカメラにより撮像された現在の日の出又は日の入りの映像を、通信ネットワークを介してリアルタイムにユーザー側に提供するための映像提供手段と、
を含むことを特徴とする日の出又は日の入り映像提供システム。
【請求項４】
請求項１，２又は３において、
前記カメラからの映像に基づいて、現在の日の出又は日の入りの映像の美しさの有無又は度合いを判定するための判定手段を含み、
前記映像提供手段は、前記判定手段からの判定結果に基づいて、前記カメラにより撮像された現在の日の出又は日の入りの映像であってその中の太陽が美しいか又はその中の太陽の美しさの度合いが高い映像のみを、ユーザー側に提供するものである、ことを特徴とする日の出又は日の入り映像提供システム。
【請求項５】
互いに経度の異なる複数の地点について、各地点から見える日の出又は日の入りの映像を撮像するために、それぞれ備えられたカメラと、
前記カメラにより撮像された前記の互いに経度の異なる複数の地点からの現在の日の出又は日の入りの映像の中の一つ又は複数を、順次、通信ネットワークを介してリアルタイムにユーザー側に提供して行くための映像提供手段と、
前記の互いに経度の異なる複数の地点から見える日の出又は日の入り映像の中から、前記映像提供手段によりユーザー側に順次提供されるべきリアルタイムの映像を、地球の自転に合わせて、順次選択していくための映像選択手段と、
を含むことを特徴とする日の出又は日の入り映像提供システム。
【請求項６】
互いに経度の異なる複数の地点について、それらの各地点から見える日の出又は日の入りの映像を撮像するために、それぞれ備えられたカメラと、
前記カメラにより撮像された前記の互いに経度の異なる複数の地点からの現在の日の出又は日の入りの映像の中の一つ又は複数を、順次、通信ネットワークを介してリアルタイムにユーザー側に提供して行くための映像提供手段と、
前記カメラにより撮像された映像に基づいて、その現在の日の出又は日の入りの映像の美しさの有無又は度合いを判定するための判定手段と、
前記判定手段による判定結果に基づいて、前記の互いに経度の異なる複数の地点から見える日の出又は日の入り映像の中から、前記映像提供手段によりユーザー側にリアルタイムに提供されるべき映像として、美しいか又は美しさの度合いが高い一つ又は複数の映像を、地球の自転に合わせて、順次選択して行くための映像選択手段と、
を含むことを特徴とする日の出又は日の入り映像提供システム。
【請求項７】
ユーザーが居る場所と経度又は時差が近い複数の地点について、それらの各地点から見える日の出又は日の入りの映像を撮像するために、それぞれ備えられたカメラと、
前記カメラにより撮像された現在の日の出又は日の入りの映像を、通信ネットワークを介してリアルタイムにユーザー側に提供するための映像提供手段と、
前記カメラにより撮像された映像に基づいて、その現在の日の出又は日の入りの映像の美しさの有無又は度合いを判定するための判定手段と、
前記判定手段からの判定結果に基づいて、前記カメラにより撮像された前記のユーザーが居る場所と経度又は時差が近い複数の地点からそれぞれ見える現在の日の出又は日の入りの映像の中から、前記映像提供手段によりユーザー側にリアルタイムに提供されるべき映像として、美しいか又は美しさの度合いが高い一つ又は複数の映像を選択するための映像選択手段と、
を含むことを特徴とする日の出又は日の入り映像提供システム。
【請求項８】
複数の地点について、それらの各地点から見える日の出又は日の入りの映像を撮像するために、それぞれ備えられたカメラと、
前記カメラにより撮像された現在の日の出又は日の入りの映像を、通信ネットワークを介してリアルタイムにユーザー側に提供するための映像提供手段と、
前記カメラにより撮像された映像に基づいて、その現在の日の出又は日の入りの映像の美しさの有無又は度合いを判定するための判定手段と、
ユーザーが日の出又は日の入り映像の提供を希望する複数地点の情報を予め記録しておくための希望地点情報記録手段と、
前記判定手段による判定結果及び前記希望地点情報記録手段からの情報に基づいて、前記のユーザーが希望する複数地点から見える日の出又は日の入り映像の中から、前記映像提供手段によりユーザー側にリアルタイムに提供されるべき映像として、美しいか又は美しさの度合いが高い一つ又は複数の映像を選択するための映像選択手段と、
を含むことを特徴とする日の出又は日の入り映像提供システム。
【請求項９】
請求項４，６，７又は８のいずれかにおいて、
前記判定手段は、映像の中の太陽の形状が円形状にどれだけ近似又は相似した形状であるかを検知することにより、日の出又は日の入り映像の美しさの有無又はその度合いを判定するものである、日の出又は日の入り映像提供システム。
【請求項１０】
請求項４，６，７又は８のいずれかにおいて、さらに、
前記判定手段は、映像の中の太陽及びその周辺の色彩が、橙色又はオレンジ色にどれだけ近似した色であるかを検知することにより、日の出又は日の入り映像の美しさの有無又はその度合いを判定するものである、日の出又は日の入り映像提供システム。
【発明の詳細な説明】
【０００１】
【発明の属する技術分野】
本発明は、日の出又は日の入りの映像をリアルタイムにユーザーに提供するための、日の出・日の入り映像提供システムに関する。
【０００２】
【従来の技術】
古来より、人間にとって太陽は命の恵みとされていた。そして、太陽が東の空に現れる日の出（ｓｕｎｒｉｓｅ）と太陽が西の地平に沈む日の入り（ｓｕｎｓｅｔ）は、多くの人々にとって、美しいと感じられるもの、元気が出るもの、ストレス解消などにつながるもの、となっている。だから、正月には、毎年多くの人々が富士山などの景勝地に行って「ご来光」を拝むという風習が続いている。また、２０世紀から２１世紀への境目となる西暦２０００年１月１日又は西暦２００１年１月１日の「日の出」（朝日）を見るためのツアーの予約が、今から大手旅行代理店に殺到しているという話題も新聞等に載っていた。このように、多くの人間にとって、太陽が上る日の出と太陽が沈む日の入りの情景は、魂を揺さぶられるような感動を与えるものである。
【０００３】
【発明が解決しようとする課題】
ところで、このような多くの人々に感動を与えられる日の出又は日の入りの情景は、自宅の近くから見るものでもよいが、それよりも例えば富士山山頂などの景勝地からの日の出又は日の入りの情景の方がより多くの感動を与えることができるはずである。また、シベリアや南極などの寒冷地の日の出又は日の入りの情景や、サハラ砂漠やインド洋などの熱帯地方の日の出又は日の入りの情景は、それぞれ、それなりの興趣があるものである。しかしながら、前述のような富士山の山頂や寒冷地や熱帯地方などの日の出又は日の入りの情景は、その地に行けない病人や高齢者には、見ることができない。そのような病人や高齢者にとっては、テレビなどの旅行番組などでたまたまそういう情景を見ることしかできない。
【０００４】
本発明はこのような従来技術の課題に着目してなされたものであって、病人や高齢者などのように遠隔の地への旅行が難しい人々でも、容易に遠隔の地での日の出又は日の入りの情景（しかも、今現在の日の出又は日の入りの情景）を目の当たりにすることができる、日の出・日の入り映像提供システムを提供することを目的とする。
【０００５】
【課題を解決するための手段】
１．ある地点から見える日の出又は日の入りの映像を撮像するために備えられたカメラ、前記地点から見える日の出又は日の入りの時刻を１年間分記録する時刻記録手段、時刻データを出力する時刻データ出力手段、及び、前記カメラからの日の出又は日の入りの映像を通信ネットワークを介してリアルタイムに提供する映像提供手段、を含むことを特徴とする日の出又は日の入り映像提供システム。
２．ある地点から見える日の出又は日の入りの映像を撮像するために備えられたカメラ、前記地点から見える日の出又は日の入りの時刻を１年間分記録する時刻記録手段、時刻データを出力する時刻データ出力手段、前記カメラからの日の出又は日の入りの映像を通信ネットワークを介してリアルタイムに提供する映像提供手段、前記カメラからの映像に基づいて、現在の日の出又は日の入りの映像の美しさの有無又は度合いを判定する判定手段、及び、前記判定手段からの判定結果を、通信ネットワークを介してリアルタイムに提供する判定結果提供手段、を含むことを特徴とする日の出又は日の入り映像提供システム。
３．複数の地点について、そこから見える日の出又は日の入りの映像を撮像するために、それぞれ備えられたカメラ、前記各地点から見える日の出又は日の入りの時刻を１年間分記録する時刻記録手段、時刻データを出力する時刻データ出力手段、前記各カメラからの日の出又は日の入りの映像を、通信ネットワークを介してリアルタイムに提供する映像提供手段、前記各カメラからの映像に基づいて、現在の日の出又は日の入りの映像の美しさの有無又は度合いを判定する判定手段、前記各地点の日の出又は日の入りの映像の美しさの有無又は度合いの判定結果を、前記の各地点に関する地名又はキーワードと関連付けて、通信ネットワークを介してリアルタイムにユーザーに提供する、地名等及び判定結果提供手段、及び、ユーザーがある地点を指定したとき、その地点から見える現在の日の出又は日の入りの映像を通信ネットワークを介してリアルタイムに提供する映像提供手段、を含むことを特徴とする日の出又は日の入り映像提供システム。
４．複数の地点について、そこから見える日の出又は日の入りの映像を撮像するために、それぞれ備えられたカメラ、前記地点から見える日の出又は日の入りの時刻を１年間分記録する時刻記録手段、時刻データを出力する時刻データ出力手段、前記カメラからの日の出又は日の入りの映像を、通信ネットワークを介してリアルタイムに提供する映像提供手段、前記カメラからの映像に基づいて、現在の日の出又は日の入りの映像の美しさの有無又は度合いを判定する判定手段、前記各地点から見える日の出又は日の入りの映像の美しさの度合いの判定結果を、前記の各地点に関する地図データと関連付けて、通信ネットワークを介してリアルタイムにユーザーに提供する地図データ及び判定結果提供手段、及び、ユーザーが表示装置の画面に表示された地図上のある地点を指定したとき、その地点から見える現在の日の出又は日の入りの映像を通信ネットワークを介してリアルタイムに提供する映像提供手段、を含むことを特徴とする日の出又は日の入り映像提供システム。
５．互いに経度が近い複数の地点について、そこから見える日の出又は日の入りの映像を撮像するために、それぞれ備えられたカメラ、前記各地点から見える日の出又は日の入りの時刻を１年間分記録する時刻記録手段、時刻データを出力する時刻データ出力手段、前記カメラからの現在の日の出又は日の入りの映像を、通信ネットワークを介してリアルタイムに提供する映像提供手段、前記映像に基づいて、現在の日の出又は日の入りの映像の美しさの有無又は度合いを、判定する判定手段、及び、前記各地点から見える日の出又は日の入りの映像の美しさの有無又は度合いの判定結果に基づいて、前記の経度が近い複数の地点から見える現在の日の出又は日の入りの映像の中で、その映像の美しさが有るか又はその度合いが高い一つの他は複数の映像を選択し、その選択したもの中の一つ又は複数の映像を、通信ネットワークを介してリアルタイムにユーザーに提供する選択映像提供手段、を含むことを特徴とする日の出又は日の入り映像提供システム。
６．複数の地点について、そこから見える日の出又は日の入りの映像を撮像するために、それぞれ備えられたカメラ、前記カメラからの現在の日の出又は日の入りの映像を、通信ネットワークを介してリアルタイムに提供する映像提供手段、前記各地点から見える日の出又は日の入りの時刻を１年間分記録する手段、時刻データを出力する時刻データ出力手段、前記カメラからの現在の日の出又は日の入りの映像の美しさの有無又は度合いを、判定する判定手段、ユーザーが日の出又は日の入り映像の提供を希望する複数地点の情報を予め記録しておく希望地点情報記録手段、及び、前記判定手段による判定結果及び前記希望地点情報記録手段からの情報に基づいて、前記のユーザーが希望する複数地点の日の出又は日の入り映像の中で、その映像の美しさの有るか又はその度合いが高い一つ又は複数の映像を選択し、その選択したもの中の一つ又は複数の映像を、通信ネットワークを介してリアルタイムにユーザーに提供する、選択映像提供手段、を含むことを特徴とする日の出又は日の入り映像提供システム。
７．互いに経度の異なる複数の地点について、そこから見える日の出又は日の入りの映像を撮像するために、それぞれ備えられたカメラ、前記各地点から見える日の出又は日の入りの時刻を１年間分記録する時刻記録手段、時刻データを出力する時刻データ出力手段、前記カメラからの現在の日の出又は日の入りの映像を、通信ネットワークを介してリアルタイムに提供する映像提供手段、及び、前記の互いに経度の異なる複数の地点から見える日の出又は日の入り映像を、地球の自転に合わせて順次選択し、その選択した映像を順次ユーザーに提供して行く選択映像提供手段、を含むことを特徴とする日の出又は日の入り映像提供システム。
８．上記７おいて、前記カメラからの映像に基づいて、現在の日の出又は日の入りの映像の美しさの度合いを、判定する判定手段を含み、前記選択映像提供手段は、前記の互いに経度の異なる複数の地点から見える日の出又は日の入り映像を、地球の自転に合わせて順次複数個選択し、さらに、その複数個の選択された映像を前記判定手段からの判定結果に基づいて選択して、その選択された映像を順次ユーザーに提供して行くものである、ことを特徴とする日の出又は日の入り映像提供システム。
９．上記２から８までのいずれかにおいて、前記判定手段は、映像に写った太陽の形状が円形状にどれだけ近似した形状であるかを検出することにより、日の出又は日の入り映像の美しさを判定するものである、日の出又は日の入り映像提供システム。
１０．上記２から９までのいずれかにおいて、さらに、前記判定手段は、映像に写った太陽及びその周辺の色彩が、橙色又はオレンジ色にどれだけ近似した色であるかを検出することにより、日の出又は日の入り映像の美しさを判定するものである、日の出又は日の入り映像提供システム。
【０００６】
【発明の実施の形態】
実施形態１．  図１は本発明の実施形態１を示す概略図である。図１において、１はある地点から見た日の出又は日の入りの映像を撮像するために設けられたカメラ、２は前記地点の日の出又は日の入りの時刻を１年間分記録する時刻記録用の記録装置、３は時刻データを出力する時刻データ出力部、４は前記記録装置及び時刻データ出力部からのデータに基づいて日の出又は日の入りの映像を撮像するように前記カメラ１を制御する制御部である。また、５はインターネット６に接続されたサーバー（コンピュータ）である。このサーバー５は、前記カメラ１からの現在の映像を、インターネット６を介してリアルタイムにユーザー端末７（このユーザー端末７もインターネット６に接続されている）に提供するものである。
【０００７】
本実施形態１では、前記制御部４は、前記時刻データ出力部３及び記録装置２からのデータに基づいて、その地点の日の出又は日の入りの時刻だけ、前記カメラ１を制御して、前記カメラ１が設置された地点から見える日の出又は日の入りの情景（太陽が昇る情景又は太陽が沈む情景）を、撮像させる。前記サーバー５は、このカメラ１と接続されて、このカメラ１からの現在の映像を、リアルタイムに、インターネット６を介してユーザー端末７に提供する。この場合の「提供」の方法は、サーバー５のホームページに前記カメラ１からの映像を流すようにし、ユーザーは、このホームページにアクセスしてその映像情報を取り込むようにする（「プル（ｐｕｌｌ）型」のインターネット・サービス）方法や、サーバー５が予め契約しておいたユーザー端末にインターネットを介して自動的に配信する（「プッシュ（ｐｕｓｈ）型」のインターネット・サービス）方法など、様々な方法が有り得る。なお、ここで述べた「プッシュ型」の方法は、例えば米国企業が現在インターネットにより提供している「ポイントキャスト」というニュース配信サービス（インターネットにより最新のニュースを自動配信するサービス）と同様に、通信ネットワークにより現在の日の出又は日の入りの映像を自動配信するというサービスである。
【０００８】
実施形態２．  次に、本発明の実施形態２を説明する。この実施形態２においては、ハードウェア構成は実施形態１と同様であるので、図示を省略する。この実施形態２においては、サーバー５に、前記カメラ１からの映像に基づいて、「その日の出又は日の入り映像が美しいものか否か、人の鑑賞に耐え得るものであるか否か」、また、「美しいとして、どの程度か」（以下、「形状の美しさの有無又は度合い」という）を判定するための形状判定用ソフトウェア（プログラム）が備えられている。この形状判定用ソフトウェアは、前記カメラ１からの映像の中の太陽の形状が円形と完全に相似形である場合を１００として、相似形になっていない度合いにより、減点することにより、前記の「形状の美しさの有無又は度合い」を判定するようにしている。また、前記サーバー５は、前記カメラ１からの映像に基づいて、その映像の中の太陽及びその周囲の色彩が、美しいか否か、また橙色又はオレンジ色にどれだけ近似した色か（以下「色彩の美しさの有無又は度合い」という）を判定する色彩判定用ソフトウェア（プログラム）をも備えている。この色彩判定用ソフトウェアは、前記映像の太陽とその周囲の色彩が橙色又はオレンジ色に極めて近いときを１００として、それから離れる毎に減点していくようにして、「色彩の美しさの有無又は度合い」を判定するようにしている。
【０００９】
そして、この実施形態２では、前記「形状の美しさの有無又は度合い」と「色彩の美しさの有無又は度合い」の両者を総合して、「総合的な美しさの有無又は度合い」を判定するようにしている。そして、この「総合的な美しさの有無又は度合い」という判定結果は、前記サーバー５により、インターネット６を介してリアルタイムにユーザーに提供される。この場合の「提供」の方法も、前述と同様に、「プル型のインターネットサービス」や「プッシュ型のインターネットサービス」やその他の方法など様々な方法が有り得る。
【００１０】
実施形態３．  次に、本発明の実施形態３を説明する。この実施形態３では、図２に示すように、サーバー５に記録装置３１が備えられている（なお、図２において図１と共通する部分には同一の符号を示している）。この記録装置３１には、図３に示すような構造のデータベースが記録されている。このデータベースは、前記各地点に備えられたカメラ１からの日の出又は日の入りの映像情報（リアルタイムの映像情報）と、前記各地点を他の地点と識別するための識別データ又は前記各地点のカメラを他のカメラと識別するための識別データ、各地点の地名と、地図上の各地点を識別するための位置座標データ（地図上の経度及び緯度のデータ）と、各地点の属性を示すキーワードと、各地点の現在の天候と、各地点の日の出又は日の入り映像の「美しさの有無又は度合い」に関する判定結果が、互いに関連付けられながら、記録されている。
【００１１】
以上により、この実施形態３によれば、ユーザーは、例えば、インターネット６上の前記サーバー５のホームページにアクセスすることにより、このデータベースを利用できるようになっている。具体的には、このデータベースにアクセスして、興味のある「地名」で検索したり、好きな「キーワード」で検索したり、「現在の天候」により検索したり、「映像の美しさの度合い」で検索したりしながら、所望の日の出又は日の入り映像を選択して、その提供を受けることができる。
【００１２】
また、この実施形態３によれば、ユーザーは、自らの端末７の表示装置に世界地図を表示させてその地図上の任意の地点を指定する（マウスなどでクリックする）ことにより、その指定した地点の現在の日の出又は日の入り映像を呼び出す（又は取り込む）ことが可能になる。また、地図上の任意の地点を指定して、まず、その地点の現在の天候や「日の出又は日の入り映像の美しさの度合い」を確認した上で、その地点の日の出又は日の入り映像を取り込むようにすることもできる。
【００１３】
また、この実施形態３では、前記のデータベースには、各地点毎の地図上の位置座標データ（経度と緯度データ）が、前記の日の出又は日の入り映像を撮像するカメラの識別データなどと関連付けられながら、記録されている。したがって、この実施形態３によれば、例えば、予め、ユーザーがサーバー５を管理するサービス提供企業に対して、自己の存在している地図上の経度と近い（「時差」が同じか近い）場所にある複数地点の日の出又は日の入りのリアルタイム映像であって、「映像の美しさの有無又は度合い」の高いものをリアルタイムに提供して欲しいと要求しておけば、前記サーバー５のプログラムにより、その要求に従った映像を提供することができる。この場合、ユーザーは、自己の住む地域と同じ時差の場所における日の出又は日の入り映像をリアルタイムに受け取ることができるので、例えば、太陽光の入らない暗い部屋に住んでいる場合でも、自己の住む場所の日の出又は日の入りの時刻と同じ時刻に、日の出又は日の入り映像（遠隔の地域の日の出又は日の入り映像）をリアルタイムに受け取ることができる。なお、この場合の映像の「提供」についても、前述のように、「プル型インターネット」や「プッシュ型インターネット」などの様々な方法が有り得る。
【００１４】
さらに、この実施形態３によれば、例えば、ユーザーが予め、サーバー５を管理するサービス提供企業に、自己が日の出又は日の入り映像を望むときの優先順位として、好きなキーワードや地名を与えておくと、サーバー５側では、そのユーザーから示されたキーワードや地名を満たす地名の日の出又は日の入り映像であって、前記「美しさの有無又は度合い」が「美しさ有り」又は「美しさの度合いは優良（例えば９０点以上）」であるものを、順次ユーザーに提供（この「提供」の方式には、前記の「プル型」や「プッシュ型」などが有り得る）することができる。
【００１５】
さらに、この実施形態３では、前記のデータベースには、各地点毎の地図上の位置座標データ（経度と緯度データ）が、前記の日の出又は日の入り映像を撮像するカメラの識別データなどと関連付けられて記録されている。したがって、この実施形態３によれば、例えば、ユーザーが、前記サーバー５を管理しているサービス提供企業に、予め、「世界中の日の出又は日の入り映像を常に配信して欲しい」と申し込んでおけば、前記サーバー５に記録されたプログラムにより、その要求に合った映像を提供してもらうことができる。すなわち、前記サーバー５のプログラムにおいて、ユーザーからの要求があれば、前記各地点の地図上の位置座標データの中の緯度データをキーとして、地球の自転に合わせて、太陽の日の出又は日の入りの映像（しかも、前記の「美しさの有無又は度合い」の判定結果が優良であるような映像のみ）を常に送れるように、世界各地からの映像を順次自動的に配信するようにすることができる。すなわち、ある地点の日の出又は日の入りの映像を所定時間だけ（この場合のある地点の日の出又は日の入り映像の提供時間は、大体５分〜３０分程度で、この時間の長さは、ユーザーが指定すればその時間とし、指定しなければ１５分とする）提供し、それが終われば、その時刻に日の出又は日の入りが発生している地点の映像（しかも前記「美しさの度合い」の高い映像）をさらに所定時間だけ提供し、これを地球の自転に合わせて順次続けて行く、というコンテンツ提供サービスである。
【００１６】
【発明の効果】
１．本発明によれば、ユーザーは、遠隔地に設置されたカメラで撮像された日の出又は日の入りの映像を、リアルタイムに見ることができるので、病人や高齢者のように遠隔の地域に容易に旅行できないような人でも、「あたかも遠隔の地で実際に日の出又は日の入りを見ているのと同じような感覚」を得られるようになる。例えば、「正月の早朝に富士山の頂上でご来光を拝む」ことを長年の習慣として来た人が、病気や怪我で行けなくなった場合でも、本発明を利用すれば、通信ネットワークを介してではあるが、「正月の早朝に、富士山の頂上から見える日の出又は日の入りをリアルタイムに見る」ことが可能になる。
【００１７】
２．本発明によれば、ユーザーは、ある地点の日の出又は日の入りが「美しいもの」かどうかの判定結果をリアルタイムに又はほぼリアルタイムに受け取れるようになっている。よって、ユーザーは、ある地点の日の出又は日の入り映像を取り込もうとする前に、いったんその地点の日の出又は日の入り映像が「美しいもの」かどうかを知った上で、取り込むかどうかを決められるので、「日の出又は日の入り映像を鑑賞しようとしてある地点の日の出又は日の入り映像を取り込んでみたら美しくなかったので無駄な結果になった」などいう事態が回避できるようになる。
【００１８】
なおここで、本発明において、日の出又は日の入り映像が「美しいもの」かどうかという意味を説明する。本発明では、例えば、前記カメラからの日の出又は日の入り映像に基づいて、日の出又は日の入り映像の中の太陽の映像が円形と相似形であるとき、又は、日の出又は日の入り映像の中の太陽及びその周辺の映像が橙色又はオレンジ色であるとき、その日の出又は日の入り映像は「美しい」ものと判定するようにしている。つまり、少なくとも、前記の「太陽の映像が円形と相似形であること」か「太陽及びその周囲の映像が橙色又はオレンジ色であること」を満たせば、「美しい」と判定している（よって、太陽の一部に雲がかかって太陽が完全な円形になっていなくても、太陽及び周囲の映像が橙色又はオレンジ色であれば、「美しい」と判定している）。
【００１９】
３．本発明によれば、複数の地点の日の出又は日の入り映像とその映像の美しさの度合いの判定結果を、前記の各地点に関する地名又はキーワードと関連付けて、通信ネットワークを介してリアルタイムにユーザーに提供するようにしている。したがって、ユーザーは、自分の好きなキーワードや地名を指定してそれを満たすような地点の日の出又は日の入り映像で、しかもある程度美しさの度合いの高い映像を、リアルタイムに提供してもらうことが可能になる。
【００２０】
すなわち、本発明では、ユーザーが希望するキーワードや地名を登録しておき、そのキーワードや地名を満たすような地点の日の出又は日の入り映像（しかも、その映像の美しさの度合いが高いもののみ）を、ユーザーに提供するようにしている。したがって、ユーザーは、予め、自己の好みや興味を地名やキーワードなどで登録しておくことにより、それらを満たすような地点の日の出又は日の入り映像でしかも美しい映像のみを、リアルタイムに自動的に配信してもらうことが可能になる。これにより、世界各地の日の出又は日の入り映像を「環境映像」として自動的に配信してもらうことが可能になる。また、例えば、コンピュータの「スクリーンセーバー」（画面の焼き付け防止のためのソフトウェア）に本発明を適用すれば、コンピュータを使用していないときは、自動的に、コンピュータ画面に世界各地の日の出又は日の入り映像で美しい映像のみが常に表示されるようになる。
【００２１】
４．本発明では、複数の地点の日の出又は日の入り映像とその美しさの度合いの判定結果を、前記の各地点の地図上の位置座標データ（経度及び緯度のデータ）と関連付けて、通信ネットワークを介してリアルタイムにユーザーに提供するようにしている。したがって、ユーザーは、自己の端末の表示画面に地図を表示させて、その地図上の任意の地点を指定する（マウス等でクリックする）だけで、その地点の日の出又は日の入りの映像を、しかも例えばその映像がある程度美しいものである場合のみ、提供してもらうことが可能になる。
【００２２】
５．本発明では、各地点のカメラ又はその映像の識別データを、各地点の位置座標データ（経度及び緯度のデータ）及び各地点の現在の映像の美しさの判定結果と関連付けて記録している。したがって、本発明では、互いに経度が近い複数の地点（すなわち、ユーザーの居る場所と「時差」が無いかあっても小さい複数の地点）の日の出又は日の入り映像を、その美しさの度合いの高いものだけを、リアルタイムに提供することができる。したがって、ユーザーは、自分の居る場所と時差が無いかあっても小さい複数の地点の日の出又は日の入り映像（しかも、ある程度、美しさの度合いの高いもののみ）の提供を、リアルタイムに受けられるようになる。よって、ユーザーは、自分が居る場所と同じ生活時間帯で、その生活時間帯の日の出又は日の入り時刻に、他の遠隔の地点の日の出又は日の入りの映像をリアルタイムに受けられるようになるので、自分の生活時間の感覚を崩す心配なく、他の遠隔の地域の日の出又は日の入り映像を楽しめるようになる。
【００２３】
６．本発明では、ユーザーが日の出又は日の入り映像を希望する複数の地点を予め登録しておき、その地点の日の出又は日の入り映像で且つその映像の美しさの度合いが高いもののみを、ユーザーに提供することができる。したがって、ユーザーは、予め、自己の希望する地点を登録しておくことにより、それらの地点の日の出又は日の入り映像でしかも美しい映像のみを、リアルタイムに自動的に配信してもらうことが可能になる。これにより、自分の望む地点の日の出又は日の入り映像を「環境映像」として自動的に配信してもらうことが可能になる。また、例えば、コンピュータの「スクリーンセーバー」（画面の焼き付け防止のためのソフトウェア）に本発明を適用すれば、コンピュータを使用していないときは、自動的に、コンピュータ画面に世界各地の日の出又は日の入り映像で美しい映像のみが常に表示されるようになる。
【００２４】
７．本発明では、互いに経度の異なる複数の地点の日の出又は日の入り映像を、その地点の位置座標データ（経度と緯度のデータ）及びその地点の現在の日の出又は日の入り映像の美しさの度合いのデータと関連付けながら、記録するようにしている。したがって、ユーザーは、前記の互いに経度の異なる複数の地点の日の出又は日の入り映像を、地球の自転に合わせて、且つ各地の日の出又は日の入り映像の美しさの判定結果に基づいて、リアルタイムに、順次提供してもらう（例えば、自動的に配信してもらう）ことが可能になる。
【図面の簡単な説明】
【図１】  本発明の実施形態１の構成を示す概略図である。
【図２】  本発明の実施形態３を示す概略図である。
【図３】  本発明の実施形態３において、サーバー５が保有する記録装置に記録されるデータベースを説明するための図である。
【符号の説明】
１  カメラ
２  記録装置
３  時刻データ出力部
４  制御部
５  サーバー（コンピュータ）
６  インターネット
７  ユーザー端末
３１  記録装置
【図１】
0003681141.tif 000002
【図２】
0003681141.tif 000003
【図３】
0003681141.tif 000004